(57)【要約】      （修正有）【課題】剥離部材を用いることなく表示窓部を容易にパネルから剥離させることができる電子機器を提供する。【解決手段】筐体と、筐体の前面に固定され前後に貫通する孔を備えるパネル２と、パネル２の裏面に固着し前後に貫通する孔７０１を備え当該孔７０１の側壁に前方に開口し後方に開口しない凹部７０３を備え当該凹部７０３に連通し後方に開口する切欠きを備える第１の円筒部７と、前後に貫通する孔７０１を有する円筒型を成し外周面に切欠きに嵌合する凸部８０２を備え第１の円筒部７の孔の内壁を自在にスライドする第２の円筒部８と、貫通する孔を備える基板を備える表示部と、第１の円筒部７の長さと基板の厚さを足した長さより僅かに短いネジ部を備え第２の円筒部８の孔８０１に締結されることにより表示部をパネルに固定する雄ネジ９と、第１の円筒部７の孔７０１を覆ってパネルに貼付される表示窓部４とを備える。【選択図】図７
2007019446.tif 000002
【特許請求の範囲】
【請求項１】
箱型を成し内部に電子回路を固定する筐体と、前記筐体の前面に固定され前後に貫通する貫通孔を備えるパネルと、前記パネルの裏面に固着し前記貫通孔と異なる位置に前後に貫通する孔を備え当該孔の側壁に前方に開口し後方に開口しない凹部を備え当該凹部に連通し後方に開口する切欠きを備える第１の円筒部と、前後に貫通する孔を有する円筒型を成し外周面に前記切欠きに嵌合する凸部を備え前記第１の円筒部の孔の内壁を自在にスライドする第２の円筒部と、前記貫通孔の後方に配設され前後に貫通する孔を備える基板を備え前記電子回路の動作に関する情報を表示する表示部と、前記第１の円筒部の長さと前記基板の厚さを足した長さより僅かに短い長さのネジ部を備え前記基板の孔を介して前記第２の円筒部の孔に締結されることにより前記表示部を前記パネルに固定する雄ネジと、透明部材から成り前記貫通孔及び前記円筒部の孔を覆って前記パネルに貼付される表示窓部とを備えることを特徴とする電子機器。
【請求項２】
請求項１記載の電子機器において、
前記表示部は、前記基板の前面に前記孔と連通し前記円筒部の外径より小さく前記雄ネジの外径より大きい内径を有する凹部を備えることを特徴とする電子機器。
【発明の詳細な説明】
【技術分野】
【０００１】
本発明は、前面パネルの裏面に表示部が固定され、前面パネルの表面に表示窓部が貼付された電子機器に関する。
【背景技術】
【０００２】
従来の電子機器として、オーディオ信号記録装置を例に挙げ説明する。
図１３は、従来のオーディオ信号記録装置の一例を示す斜視図である。
オーディオ信号記録装置１００は、表示窓部４、筐体５、表示部６、雄ネジ９、前面パネル部２００、図示しない入力部、出力部、記録部及び信号処理部を備える。
【０００３】
筐体５は、前方が開口する箱型を成す。前面パネル部２００は、薄い直方体を形成し、図示しないネジによって筐体５の前面に固定される。
【０００４】
前面パネル部２００は、前面に凹状を成す開口部２０１を備える。開口部２０１は、前面パネル部２００の前面よりも凹んだ位置に形成された平面部２０２を備える。平面部２０２の内側には、前後に貫通する貫通孔２０３を備える。前面パネル部２００の裏面には、円筒部７００が固着されている。円筒部７００は、後方へ開口する孔７１０を備える。
【０００５】
表示部６は、裏面に薄い板状を成す基板６０１を備える。基板６０１は、前後に貫通する孔６０２を備える。雄ネジ９は、前端を基板６０１の孔６０２と円筒部７００の孔７１０へ挿入し、ネジ頭部を回転させることによって孔７１０の内壁にネジ山が形成されながら孔７１０へ締め付けられる。表示部６は、基板６０１が円筒部７００の裏面と雄ネジ９のネジ頭部に狭持されることによって、前面パネル部２に固定される。
【０００６】
表示窓部４は、透明なアクリル部材等から成り、直方体の形状に加工されている。また、表示窓部４の裏面の外周部分には、両面粘着テープ４０１が貼付されている。表示窓部４は、その水平方向の長さ及び垂直方向の長さが開口部２０１の水平方向の長さ及び垂直方向の長さより小さい。表示窓部４は、その表面に貼付された両面粘着テープ４０１が開口部２０１の平面部２０２に粘着することにより前面パネル部２００に固定される。
【０００７】
入力部は、図示しない導電ケーブルを介して他の装置から出力されたオーディオ信号を入力し、記録部へ出力する。記録部は、入力部からのオーディオ信号を記録する。出力部は、図示しない導電ケーブルを介して記録部に記録されたオーディオ信号を他の装置へ出力する。信号処理部は、記録部に記録されたオーディオ信号の記録時間を演算し、記録時間を示す情報を記録時間信号として表示部６へ出力する。表示部６は、信号処理部からの記録時間信号に応じて、記録時間を示す情報を表示する。表示部６によって表示された記録時間を示す情報は、表示窓部４を介してユーザに視認される。
【０００８】
以上により、オーディオ信号記録装置１００は、他の装置から入力したオーディオ信号を記録し、記録したオーディオ信号の記録時間等の情報を表示窓部４を介して表示する。
【０００９】
近年、環境保全のために、電子機器等に用いた資材を有効利用するための資材リサイクル活動が高まりつつある。電子機器を構成する複数の種類の部材をリサイクル活用する場合、それぞれの部材を分離し回収する作業が必要になる。
【００１０】
従来のオーディオ信号記録装置１００の表示窓部４をリサイクル活用する場合、表示窓部４を前面パネル部２００から剥離することが必要となる。両面粘着テープ４０１によって貼付された表示窓部４を剥離するためには、両面粘着テープ４０１が表示窓部４と前面パネル部２００とを固定する粘着力よりも大きな力を表示窓部４へ加える必要がある。
【００１１】
このような、パネルの表面に貼付された表示窓部などの板状の部材を剥離する方法として、予めケースの裏面に備えた袋穴をドライバー等によって切断し、当該板状の部材の裏面を前方へ押圧することによって剥離する方法が知られている（例えば、特許文献１参照。）。このように、パネルの表面に貼付した板状の部材を剥離する場合は、両面粘着テープの粘着力よりも大きな力により板状の部材を前方へ押圧することによって、パネルへ固定された板状の部材を剥離することができる。
【００１２】
【特許文献１】特開平７−１３１１６２号公報
【発明の開示】
【発明が解決しようとする課題】
【００１３】
図１４は、従来のオーディオ信号記録装置１００の前面パネル部２００及び表示窓部４を示す図で、図１４（ａ）は、円筒部７００から表示部６を取り外した後、前面パネル部２００に表示窓部４が貼付されている状態を示す断面図、図１４（ｂ）は、図１４（ａ）の状態から表示窓部４を前面パネル部２００から剥離する様子を示す断面図である。
【００１４】
図１４（ａ）に示すように、表示窓部４は、両面粘着テープ４０１による粘着力により、前面パネル部２００に固定されている。
【００１５】
表示窓部４を前面パネル部２００から剥離する場合は、図１４（ｂ）に示すように棒状を成す剥離部材２０を用いる。前面パネル部２００から表示窓部４を剥離するには、前面パネル部２００の裏面に剥離部材２０を当接し、剥離部材２０を前方へ押圧する。剥離部材２０の押圧力が両面粘着テープ４０１の粘着力より大きくなると、図１４（ｂ）に示すように、両面粘着テープ４０１は、平面部２０２から剥がれ、表示窓部４は前面パネル部２００から剥離する。
【００１６】
しかしながら、表示窓部４と前面パネル部２００を粘着している両面粘着テープ４０１の粘着力が大きい場合、表示窓部４を剥離するためには、剥離部材２０の先端を表示窓部４の裏面に当接させ、両面粘着テープ４０１の粘着力より大きな力で表示窓部４を押圧する必要があり、この押圧作業が困難となる。
【００１７】
また、前面パネル部２００から表示窓部４を剥離するためには、このような図１４（ｂ）に示すような剥離部材２０が必要であるため、例えば、剥離部材２０を紛失してしまった場合、この剥離部材２０の代用となる部材を調達して、表示窓部４の剥離作業を行なわなければならず、剥離作業に手間が掛かってしまう。
【００１８】
本発明は、前面パネルの裏面に表示部が固定され、前面パネルの表面に表示窓部が貼付された電子機器において、剥離部材を用いることなく表示窓部を容易にパネルから剥離させることができる電子機器を提供することを目的とする。
【課題を解決するための手段】
【００１９】
本願の請求項１記載の発明は、電子機器において、箱型を成し内部に電子回路を固定する筐体と、前記筐体の前面に固定され前後に貫通する貫通孔を備えるパネルと、前記パネルの裏面に固着し前記貫通孔と異なる位置に前後に貫通する孔を備え当該孔の側壁に前方に開口し後方に開口しない凹部を備え当該凹部に連通し後方に開口する切欠きを備える第１の円筒部と、前後に貫通する孔を有する円筒型を成し外周面に前記切欠きに嵌合する凸部を備え前記第１の円筒部の孔の内壁を自在にスライドする第２の円筒部と、前記貫通孔の後方に配設され前後に貫通する孔を備える基板を備え前記電子回路の動作に関する情報を表示する表示部と、前記第１の円筒部の長さと前記基板の厚さを足した長さより僅かに短い長さのネジ部を備え前記基板の孔を介して前記第２の円筒部の孔に締結されることにより前記表示部を前記パネルに固定する雄ネジと、透明部材から成り前記貫通孔及び前記円筒部の孔を覆って前記パネルに貼付される表示窓部とを備えることを特徴とする。
【００２０】
本願の請求項２記載の発明は、請求項１記載の電子機器において、前記表示部は、前記基板の前面に前記孔と連通し前記円筒部の外径より小さく前記雄ネジの外径より大きい内径を有する凹部を備えることを特徴とする。
【発明の効果】
【００２１】
本発明の電子機器によれば、前面パネルの裏面に表示部が固定され、前面パネルの表面に表示窓部が貼付された電子機器において、剥離部材を用いることなく表示窓部を容易にパネルから剥離させることができる電子機器を提供することができる。
【００２２】
また、本発明の電子機器によれば、貫通孔にねじ込まれた雄ネジのネジ頭部を何回も回転させることなく、表示窓部、表示部及び前面パネル部のそれぞれを容易に分離させることができる。
【発明を実施するための最良の形態】
【００２３】
本発明の実施の形態を図面を参照して説明する。なお、従来技術で示した構成要素と同一の部分については同符号を用いる。
【００２４】
本発明の電子機器の一実施例として、オーディオ信号記録装置を例に挙げ説明する。
図１は、本発明の第１実施例のオーディオ信号記録装置を示す斜視図である。
オーディオ信号記録装置１は、前面パネル部２、表示窓部４、筐体５、表示部６、図示しない入力部、出力部、記録部及び信号処理部を備える。筐体５は、前方が開口する箱型を成す。前面パネル部２は、薄い直方体を形成し、図示しないネジによって筐体５の前面に固定される。
【００２５】
図２は、本発明の第１実施例のオーディオ信号記録装置の前面パネル部、表示窓部及び表示部を示す斜視図である。
オーディオ信号記録装置１は、第１の円筒部７、第２の円筒部８及び雄ネジ９を備える。
【００２６】
前面パネル部２は、前面に凹状を成す開口部２０１を備える。開口部２０１は、前面パネル部２の前面よりも凹んだ位置に形成された平面部２０２を備える。平面部２０２の内側には、前後に貫通する貫通孔２０３を備える。前面パネル部２の裏面には、第１の円筒部７が固着されている。円筒部７は、前後に貫通する孔７０１を備える。第２の円筒部８は、外径が孔７０１の内径より小さい円筒型を成す。
【００２７】
図３は、本発明の第１実施例の第１の円筒部７の構成を示す図で、図３（ａ）は断面図、図３（ｂ）は後面図、図３（ｃ）は図３（ａ）のＡ−Ａ断面図である。図３（ａ）においては、左方向を第１の円筒部７の前方とし、右方向を第１の円筒部７の後方とする。
第１の円筒部７は、孔７０１の内壁の一部分に孔７０１の内径Ｄ１より大きな外径を形成すると共に前方に開口するが後方には開口しない凹部７０３を備える。凹部７０３は、第１の円筒部７を後方から見た場合、左右の両端のそれぞれに第１の円筒部７の半径方向に対して水平な面を形成する左側面７０４及び右側面７０５を備える。図３（ｃ）に示すように、右側面７０５は、第１の円筒部７を後方から見た場合、第１の円筒部７の略中央を軸として左側面７０４から時計回り方向に略９０°の角度となる位置に配設されている。第１の円筒部７は、断面が長方型を成し凹部７０３に連通し後方に開口する切欠き７０２を備える。
【００２８】
切欠き７０２の側壁の間隔（図３（ｂ）に示す切欠き７０２の上下方向の間隔）は、凹部７０３の左側面７０４から右側面７０５までの間隔より小さい。切欠き７０２は、左側面が凹部７０３の左側面７０４と同一となる位置に配設される。
【００２９】
図４は、本発明の第１実施例の第２の円筒部８の構成を示す図で、図４（ａ）は側面図、図４（ｂ）は後面図である。図４（ａ）においては、左方向を第２の円筒部８の前方とし、右方向を第２の円筒部８の後方とする。
第２の円筒部８は、円筒型を成し、中央に前後に貫通する貫通孔８０１を備える。第２の円筒部８は、外周面に断面が長方形を形成し左右の両端のそれぞれに第２の円筒部８の半径方向に対して水平な面を有する左側面８０３及び右側面８０４を備える凸部８０２を備える。
【００３０】
第２の円筒部８の前面から後面までの長さは、図３に示す第１の円筒部７の前面から凹部７０３の後端までの長さより僅かに短い。第２の円筒部８の外径Ｄ２は、図３（ａ）に示す第１の円筒部７の孔７０１の内径Ｄ１より僅かに小さく、また、凸部８０２の左側面８０３から右側面８０４までの間隔及び第２の円筒部８の略中央から凸部８０２の上端までの長さは、図３（ｂ）に示す切欠き７０２の側壁の間隔（図３（ｂ）に示す切欠き７０２の上下方向の間隔）及び第１の円筒部７の略中央から切欠き７０２の上端までの長さ（図３（ｂ）に示す第１の円筒部７の略中央から切欠き７０２の左側端までの長さ）より僅かに短い。第２の円筒部８は、凸部８０２を第１の円筒部７の切欠き７０２に嵌合させた状態で第１の円筒部７に挿入することにより、孔７０１の内壁を前後方向に自在にスライドする。
【００３１】
図５は、本発明の第１実施例の第１の円筒部７及び第２の円筒部８を示す図で、図５（ａ）は第１の円筒部７に第２の円筒部８を挿入する直前の状態を示す図、図５（ｂ）は図５（ａ）の状態から第１の円筒部７に第２の円筒部８を挿入した状態を示す図、図５（ｃ）は図５（ｂ）の後面図、図５（ｄ）は図５（ｂ）に示す状態から第２の円筒部８を回転させた状態を示す図、図５（ｅ）は図５（ｄ）の後面図である。図５（ａ）、（ｂ）及び（ｄ）においては、左方向を第１の円筒部７の前方とし、右方向を第１の円筒部７の後方とする。
【００３２】
図５（ａ）に示すように、第２の円筒部８は、図４に示す第２の円筒部８の凸部８０２と図３に示す第１の円筒部７の切欠き７０２を嵌合させた状態で、第２の円筒部８を第１の円筒部７の後方（図５（ａ）の右方向）から挿入することにより、図５（ｂ）及び（ｃ）に示すように、孔７０１の内壁をスライドし、第１の円筒部７に挿入された状態となる。
【００３３】
図５（ｂ）及び（ｃ）に示す状態から、第１の円筒部７の後方から見て第２の円筒部８を時計回り方向に略９０°回転させると、第２の円筒部８は、図５（ｅ）に示すように、凸部８０２が凹部７０３の内壁をスライドし、凸部８０２の右側面８０４が凹部７０３の右側面７０５に当接する位置となるまで矢印Ａ方向に回転する。この状態の場合、図５（ｄ）及び（ｅ）に示すように、凸部８０２の位置と凹部７０３の位置が第１の円筒部７の略中央を軸として略９０°異なることから、第２の円筒部８は、後方へのスライドが抑止された状態となる。
【００３４】
第２の円筒部８を第１の円筒部７の後方から取り外す場合は、図５（ｅ）に示す状態から第１の円筒部７の後方から見て円筒部８を反時計回り方向（図５（ｅ）に示す矢印Ｂ方向）に略９０°回転させて凸部８０２が切欠き７０２に嵌合するようにした状態で第２の円筒部８を後方に引き出す。このことにより、図５（ａ）に示すように、第１の円筒部７の後方から第２の円筒部８を取り外すことができる。
【００３５】
このように、第２の円筒部８は、凸部８０２が切欠き７０２と嵌合する位置となるようにして第１の円筒部７の後方から挿入した後、第２の円筒部８を後方から見て時計回り方向に略９０°回転させることによって、後方への移動が抑止された状態となり、また、凸部８０２が切欠き７０２に嵌合する位置となるように第１の円筒部７の後方から見て反時計回り方向に略９０°回転させた状態で第２の円筒部８を後方へ引き出すことによって、第２の円筒部８を第１の円筒部７から取り外すことができる。
【００３６】
図６は、本発明の第１実施例において、前面パネル部２に表示窓部４が貼付され、表示部６が第１の円筒部７に固定されている状態を示す断面図である。図６においては、左方向をオーディオ信号記録装置１の前方とし、右方向をオーディオ信号記録装置１の後方とする。
【００３７】
表示部６を第１の円筒部７に固定させる場合は、図５（ｄ）及び（ｅ）に示すように、予め、第２の円筒部８を第１の円筒部７に挿入した状態とする。
図２及び図６に示すように、表示部６は、裏面に薄い板状を成す基板６０１を備える。基板６０１は、前後に貫通する孔６０２を備える。雄ネジ９は、前端を基板６０１の孔６０２と第２の円筒部８の貫通孔８０１へ挿入し、ネジ頭部を第１の円筒部７の後方から見て時計回り方向に回転させることによって、貫通孔８０１の内壁にネジ山が形成されながら貫通孔８０１に締め付けられる。このとき、第２の円筒部８は、雄ネジ９の回転力によって円筒部７の後方から見て時計回り方向に回転する応力が作用するが、図５（ｄ）及び（ｅ）に示すように、第２の円筒部８の右側面８０４と凹部７０３の右側面７０５とが当接した状態となり、第２の円筒部８は時計回り方向へ回転しないことから、雄ネジ９を貫通孔８０１に締め付けることができる。
【００３８】
図６に示すように、雄ネジ９のネジ部の長さは、第１の円筒部７の前後方向の長さと基板６０１の厚さを足した長さより僅かに短い。表示部６は、基板６０１が第１の円筒部７の裏面と雄ネジ９のネジ頭部に狭持されることによって、前面パネル部２に固定される。
【００３９】
表示窓部４は、透明なアクリル部材等から成り、直方体の形状に加工されている。また、表示窓部４の裏面の外周部分には、両面粘着テープ４０１が貼付されている。表示窓部４は、その水平方向の長さ及び垂直方向の長さが開口部２０１の水平方向の長さ及び垂直方向の長さより小さい。表示窓部４は、その表面に貼付された両面粘着テープ４０１が開口部２０１の平面部２０２に粘着することにより前面パネル部２００に固定される。表示部６は、貫通孔２０３の後方となる位置に配設される。
【００４０】
入力部は、図示しない導電ケーブルを介して他の装置から出力されたオーディオ信号を入力し、記録部へ出力する。記録部は、入力部からのオーディオ信号を記録する。出力部は、図示しない導電ケーブルを介して記録部に記録されたオーディオ信号を他の装置へ出力する。信号処理部は、記録部に記録されたオーディオ信号の記録時間を演算し、記録時間を示す情報を記録時間信号として表示部６へ出力する。表示部６は、信号処理部からの記録時間信号に応じて、記録時間を示す情報を表示する。表示部６によって表示された記録時間を示す情報は、表示窓部４を介してユーザに視認される。
【００４１】
以上により、オーディオ信号記録装置１は、他の装置から入力したオーディオ信号を記録し、記録したオーディオ信号の記録時間等の情報を表示窓部４を介して表示する。
【００４２】
図７は、本発明の第１実施例のオーディオ信号記録装置１の前面パネル部２及び表示窓部４を示す図で、図７（ａ）は前面パネル部２から表示部６を取り外した状態を示す断面図、図７（ｂ）は図７（ａ）の状態から表示窓部４を前面パネル部２から剥離する様子を示す断面図である。図７（ａ）及び（ｂ）においては、左方向をオーディオ信号記録装置１の前方とし、右方向をオーディオ信号記録装置１の後方とする。
【００４３】
表示窓部４を前面パネル部２から剥離する場合は、先ず、図６に示す状態から雄ネジ９を第１の円筒部７の後方から見て反時計回りに回転させ、雄ネジ９を第１の円筒部７から取り外した後、表示部６を第１の円筒部７から取り外す。このとき、第２の円筒部８は、雄ネジ９の回転力によって円筒部７の後方から見て反時計回り方向に回転する応力が作用するが、図５（ｂ）及び（ｃ）に示すように、第２の円筒部８の左側面８０３と凹部７０３の左側面７０４とが当接した状態となり、その位置において第２の円筒部８は反時計回り方向へ回転しないことから、雄ネジ９の貫通孔８０１への締結を緩めて雄ネジ９を第１の円筒部７から取り外すことができる。
【００４４】
次に、図７（ａ）に示すように、雄ネジ９の先端を円筒部７の孔７０１へ挿入した後、ネジ頭部を第１の円筒部７の後方から見て時計回り方向に回転させ、貫通孔８０１へ雄ネジ９をねじ込む。このとき、第１の円筒部７の裏面と雄ネジ９のネジ頭部との間には、基板６０１が介在していないことから、雄ネジ９は、図６に示す状態と比較して、基板６０１の厚み分深くねじ込むことが可能となる。このとき、図６に示すように、雄ネジ９のネジ部の長さは、第１の円筒部７の前後方向の長さと基板６０１の厚さを足した長さより僅かに小さいことから、図７（ｂ）に示すように、基板６０１が第１の円筒部７と雄ネジ９のネジ頭部と間に介在していたときより雄ネジ９が深くねじ込まれると、表示窓部４の後面に雄ネジ９の先端が当接し、更に、雄ネジ９の先端が表示窓部４の後面を前方へ押圧する。
【００４５】
雄ネジ９の先端が表示窓部４を前方へ押圧する力によって、図７（ｂ）に示すように、両面粘着テープ４０１は、平面部２０２から剥がれ、表示窓部４は前面パネル部２から剥離する。
【００４６】
以上の構成により、本実施例のオーディオ信号記録装置１は、表示部６を第１の円筒部７から取り外した状態で、孔７０１を介して雄ネジ９を貫通孔８０１へねじ込むことによって、雄ネジ９の先端が表示窓部４の後面を前方へ押圧し、前面パネル部２から表示窓部４を剥離させることができる。このことにより、表示窓部４を前面パネル部２から剥離させるための剥離部材を用いる必要がなく、表示窓部４の剥離作業を簡単に行なうことができる。
【００４７】
また、本実施例のオーディオ信号記録装置１は、孔７０１を介して雄ネジ９を貫通孔８０１へ挿入し、ネジ頭部を回転させることによって表示窓部４を剥離することができるので、両面粘着テープ４０１の粘着力以上の力で表示窓部４を前方へ押圧しなくても、前面パネル部２から表示窓部４を容易に剥離させることができる。
【００４８】
図８は、本発明の第１実施例のオーディオ信号記録装置１の前面パネル部２を示す図で、図８（ａ）は表示窓部４を前面パネル部２から剥離した後に第２の円筒部８を回転させた状態を示す断面図、図８（ｂ）は図８（ａ）の第１の円筒部７及び第２の円筒部８を示す後面図、図８（ｃ）は図８（ａ）の状態から雄ネジ９のネジ頭部を後方へ引き出した状態を示す断面図である。図８（ａ）及び（ｃ）においては、左方向をオーディオ信号記録装置１の前方とし、右方向をオーディオ信号記録装置１の後方とする。
【００４９】
図７（ｂ）に示すように、表示窓部４を前面パネル部２から剥離した後、雄ネジ９のネジ頭部を第１の円筒部７の後方から見て反時計回り方向に略９０°回転させる。第２の円筒部８は、図８（ａ）及び（ｂ）に示すように、雄ネジ９が回転することにより、円筒部７の後方から見て矢印Ｂ方向（反時計回り方向）に略９０°回転し、第２の円筒部８の凸部８０２が第１の円筒部７の切欠き７０２に嵌合する位置となる。この状態から雄ネジ９のネジ頭部を後方へ引き出すと、雄ネジ９は、第２の円筒部８の貫通孔８０１にねじ込まれた状態のまま前面パネル部２から取り外される。
【００５０】
オーディオ信号記録装置１においては、表示窓部４をリサイクル活用すると共に前面パネル部２をリサイクル活用しようとする場合がある。この場合、前面パネル部２から金属部材から成る雄ネジ９を取り外しておく必要がある。
本実施例のオーディオ信号記録装置１は、表示窓部４を前面パネル部２から剥離した状態で、雄ネジ９のネジ頭部を第１の円筒部７の後方から見て反時計回り方向に略９０°回転させた後、雄ネジ９のネジ頭部を後方へ引き出すことによって、前面パネル部２から雄ネジ９を取り外すことができる。このことにより、オーディオ信号記録装置１の表示窓部４をリサイクル活用すると共に、前面パネル部２をリサイクル活用する場合、貫通孔８０１にねじ込まれた雄ネジ９のネジ頭部を何回も回転させることなく、前面パネル部２からの雄ネジ９の取り外し作業を容易に行なうことができるので、前面パネル部２のリサイクル活用を容易に行うことができる。
【００５１】
本実施例のオーディオ信号記録装置１は、前面パネル部２から表示窓部４を剥離した後に前面パネル部２から雄ネジ９を取り外す構成としたが、例えば、表示窓部４と前面パネル部２とが同一の原材料であり、表示窓部４と前面パネル部２を分離することなく表示部６及び雄ネジ９を表示窓部４及び前面パネル部２から分離する必要がある場合は、図６に示すように雄ネジ９が前面パネル部２に固定された状態からネジ９のネジ頭部を第１の円筒部７の後方から見て反時計回り方向に略９０°回転させた後、雄ネジ９のネジ頭部を後方へ引き出す。このことにより、表示部６が前面パネル部２に固定された状態から簡単に表示部６及び雄ネジ９を前面パネル部２から取り外すことができるので、表示窓部４及び前面パネル部２をリサイクル活用するための作業を簡単に行なうことができる。
【００５２】
次に、本発明の一実施例のオーディオ信号記録装置の第２実施例について説明する。
第２実施例におけるオーディオ信号記録装置は、表示部の構成以外は、第１実施例の構成と同じであるため、詳細な説明は省略する。
【００５３】
図９は、本発明の第２実施例において、前面パネル部に表示窓部が貼付され、表示部が第１の円筒部に固定されている状態を示す断面図である。図６においては、左方向をオーディオ信号記録装置１の前方とし、右方向をオーディオ信号記録装置１の後方とする。
【００５４】
図９に示すように、表示部６０は、裏面に薄い板状を成す基板６０１を備える。基板６０１は、前後に貫通する孔６０２を備える。
【００５５】
基板６０１は、前面に孔６０２と連通する凹部６０３を備える。基板６０１は、凹部６０３が形成されることにより、基板６０１の厚さより薄い厚さである円盤部６０４が形成される。凹部６０３の内径は、円筒部７の外径より小さく、雄ネジ９のネジ頭部の外径よりも大きい。
【００５６】
表示部６０を第１の円筒部７に固定させる場合は、第１実施例と同様に、予め、第２の円筒部８を第１の円筒部７に挿入した状態とする。雄ネジ９は、前端を基板６０１の孔６０２と第２の円筒部８の貫通孔８０１へ挿入し、ネジ頭部を第１の円筒部７の後方から見て時計回り方向に回転させることによって、貫通孔８０１の内壁にネジ山が形成されながら貫通孔８０１に締め付けられる。
【００５７】
図９に示すように、雄ネジ９のネジ部の長さは、第１の円筒部７の前後方向の長さと基板６０１の厚さを足した長さより僅かに短い。表示部６０は、基板６０１が第１の円筒部７の裏面と雄ネジ９のネジ頭部に狭持されることによって、前面パネル部２に固定される。
【００５８】
図１０は、本発明の第２実施例において、図９に示す状態から表示窓部４を前面パネル部２から剥離する様子を示す断面図である。
表示窓部４を前面パネル部２から剥離する場合は、図９に示す状態から、円筒部７に表示部６を固定するのに必要なねじ込み力よりも更に大きなねじ込み力でネジ頭部を回転させ、貫通孔８０１へ雄ネジ９をねじ込む。すると、図１０に示すように、円盤部６０４は雄ネジ９のネジ頭部が前方へ押圧される力によって押圧され、ネジ頭部の外周より外側へ折れ曲がる。円盤部６０４が折れ曲がることにより、円筒部７の裏面と雄ネジ９のネジ頭部との間には、基板６０１が介在しなくなり、雄ネジ９は、図９に示す状態と比較して、基板６０１の厚み分深くねじ込むことが可能となる。このとき、図９に示すように、雄ネジ９のネジ部の長さは、第１の円筒部７の前後方向の長さと基板６０１の厚さを足した長さより僅かに小さいことから、図１０に示すように、基板６０１が第１の円筒部７と雄ネジ９のネジ頭部と間に介在していたときより雄ネジ９が深くねじ込まれると、表示窓部４の後面に雄ネジ９の先端が当接し、更に、雄ネジ９の先端が表示窓部４の後面を前方へ押圧する。
【００５９】
雄ネジ９の先端が表示窓部４を前方へ押圧する力によって、１０に示すように、両面粘着テープ４０１は、平面部２０２から剥がれ、表示窓部４は前面パネル部２から剥離する。
【００６０】
以上の構成により、本発明の第２実施例のオーディオ信号記録装置１は、表示部６０が前面パネル部２に固定された状態で、雄ネジ９を更に貫通孔８０１へねじ込むことによって、円盤部６０４が外側へ折れ曲がり、雄ネジ９の先端が表示窓部４の後面を前方へ押圧し、前面パネル部２から表示窓部４を剥離させることができる。
【００６１】
本発明の第２実施例のオーディオ信号記録装置１は、表示窓部４を剥離しようとする場合、表示部６０を前面パネル部２から取り外すことなく、前面パネル部２から表示窓部４を剥離することができる。このことにより、例えば、オーディオ信号記録装置１に用いた部材の内、表示窓部４をリサイクル活用のために分離しようとする場合、雄ネジ９をねじ込むことによって、表示窓部４のみを容易に分離させることができるので、剥離作業のために必要な時間を短縮することができる。
【００６２】
図１１は、本発明の第２実施例において、図１０に示す状態から表示部６０を固定する全ての雄ネジ９を貫通孔８０１へねじ込んだ様子を示す断面図である。
図１１に示すように、図１０に示す状態から表示部６０を固定する全ての雄ネジ９を更に貫通孔８０１へねじ込み、それぞれの第１の円筒部７に備える円盤部６０４が全て折れ曲がると、表示部６の基板６０１は、第１の円筒部７の後面と雄ネジ９のネジ頭部によって狭持されなくなり、この状態で表示部６０をオーディオ信号記録装置１の後方に引き出すことで、表示部６０を前面パネル部２から取り外すことが可能となる。
【００６３】
このように、本発明の第２実施例のオーディオ信号記録装置１は、表示部６０を固定する全ての雄ネジ９を貫通孔８０１へねじ込むことによって、前面パネル部２から表示部６０を簡単に取り外すことができるので、例えば、オーディオ信号記録装置１に用いた部材の内、表示窓部４と表示部６をリサイクル活用のために分離しようとする場合、貫通孔８０１にねじ込まれた全ての雄ネジ９を貫通孔８０１から取り外さずとも、表示部６０を固定する全ての雄ネジ９を更にねじ込むことによって、表示窓部４及び表示部６０を容易に分離させることができるので、剥離作業のために必要な時間を短縮することができる。
【００６４】
図１２は、本発明の第２実施例において、図１１に示すように表示部６０を固定している全ての雄ネジ９を更にねじ込んで表示窓部４を前面パネル部２から剥離すると共に表示部６０を前面パネル部２から取り外した後に、雄ネジ９を前面パネル部２から取り外す様子を示す断面図で、図１２（ａ）は表示窓部４及び表示部６０を前面パネル部２から剥離した後に第２の円筒部８を回転させた状態を示す断面図、図１２（ｂ）は図１１（ａ）の第１の円筒部７及び第２の円筒部８を示す後面図、図１２（ｃ）は図１２（ａ）の状態から雄ネジ９のネジ頭部を後方へ引き出した状態を示す断面図である。図１２（ａ）及び（ｃ）においては、左方向をオーディオ信号記録装置１の前方とし、右方向をオーディオ信号記録装置１の後方とする。
【００６５】
図１２（ｂ）に示すように、表示窓部４を前面パネル部２から剥離すると共に表示部６０を前面パネル部２から取り外した後、雄ネジ９のネジ頭部を第１の円筒部７の後方から見て反時計回り方向に略９０°回転させる。第２の円筒部８は、図１２（ａ）及び（ｂ）に示すように、雄ネジ９が回転することにより、円筒部７の後方から見て矢印Ｂ方向（反時計回り方向）に略９０°回転し、第２の円筒部８の凸部８０２が第１の円筒部７の切欠き７０２に嵌合する位置となる。この状態から雄ネジ９のネジ頭部を後方へ引き出すと、雄ネジ９は、第２の円筒部８の貫通孔８０１にねじ込まれた状態のまま前面パネル部２から取り外される。
【００６６】
このように、本発明の第２実施例のオーディオ信号記録装置１は、表示部６０を前面パネル部２に固定する全ての雄ネジ９を更にねじ込むことによって、表示窓部４を前面パネル部２から剥離すると共に表示部６０を前面パネル部２から簡単に取り外すことができ、更に、雄ネジ９のネジ頭部を第１の円筒部７の後方から見て反時計回り方向に略９０°回転させた後、雄ネジ９のネジ頭部を後方へ引き出すことによって、前面パネル部２から雄ネジ９を取り外すことができる。このことにより、オーディオ信号記録装置１の表示窓部４、表示部６０及び前面パネル部２のそれぞれをサイクル活用のために分離しようとする場合、表示窓部４を前面パネル部２から剥離させるための剥離部材を用いる必要がなく、また、貫通孔８０１にねじ込まれた雄ネジ９のネジ頭部を何回も回転させることなく、表示窓部４、表示部６０及び前面パネル部２のそれぞれを容易に分離させることができるので、表示窓部４、表示部６０及び前面パネル部２のそれぞれのリサイクル活用を容易に行うことができる。
【図面の簡単な説明】
【００６７】
【図１】本発明の第１実施例のオーディオ信号記録装置を示す斜視図。
【図２】本発明の第１実施例のオーディオ信号記録装置の前面パネル部、表示窓部及び表示部を示す斜視図。
【図３】本発明の第１実施例の第１の円筒部７の構成を示す図で、図３（ａ）は断面図、図３（ｂ）は後面図、図３（ｃ）は図３（ａ）のＡ−Ａ断面図。
【図４】本発明の第１実施例の第２の円筒部８の構成を示す図で、図４（ａ）は側面図、図４（ｂ）は後面図。
【図５】本発明の第１実施例の第１の円筒部７及び第２の円筒部８を示す図で、図５（ａ）は第１の円筒部７に第２の円筒部８を挿入する直前の状態を示す図、図５（ｂ）は図５（ａ）の状態から第１の円筒部７に第２の円筒部８を挿入した状態を示す図、図５（ｃ）は図５（ｂ）の後面図、図５（ｄ）は図５（ｂ）に示す状態から第２の円筒部８を回転させた状態を示す図、図５（ｅ）は図５（ｄ）の後面図。
【図６】本発明の第１実施例において、前面パネル部２に表示窓部４が貼付され、表示部６が第１の円筒部７に固定されている状態を示す断面図。
【図７】本発明の第１実施例のオーディオ信号記録装置１の前面パネル部２及び表示窓部４を示す図で、図７（ａ）は前面パネル部２から表示部６を取り外した状態を示す断面図、図７（ｂ）は図７（ａ）の状態から表示窓部４を前面パネル部２から剥離する様子を示す断面図。
【図８】本発明の第１実施例のオーディオ信号記録装置１の前面パネル部２を示す図で、図８（ａ）は表示窓部４を前面パネル部２から剥離した後に第２の円筒部８を回転させた状態を示す断面図、図８（ｂ）は図８（ａ）の第１の円筒部７及び第２の円筒部８を示す後面図、図８（ｃ）は図８（ａ）の状態から雄ネジ９のネジ頭部を後方へ引き出した状態を示す断面図。
【図９】本発明の第２実施例において、前面パネル部に表示窓部が貼付され、表示部が第１の円筒部に固定されている状態を示す断面図。
【図１０】本発明の第２実施例において、図９に示す状態から表示窓部４を前面パネル部２から剥離する様子を示す断面図。
【図１１】本発明の第２実施例において、図１０に示す状態から表示部６０を固定する全ての雄ネジ９を貫通孔８０１へねじ込んだ様子を示す断面図。
【図１２】本発明の第２実施例において、図１１に示すように表示部６０を固定している全ての雄ネジ９を更にねじ込んで表示窓部４を前面パネル部２から剥離すると共に表示部６０を前面パネル部２から取り外した後に、雄ネジ９を前面パネル部２から取り外す様子を示す断面図。
【図１３】従来のオーディオ信号記録装置の一例を示す斜視図。
【図１４】従来のオーディオ信号記録装置１００の前面パネル部２００及び表示窓部４を示す図で、図１０（ａ）は、円筒部７００から表示部６を取り外した後、前面パネル部２００に表示窓部４が貼付されている状態を示す断面図、図１０（ｂ）は、図１０（ａ）の状態から表示窓部４を前面パネル部２００から剥離する様子を示す断面図。
【符号の説明】
【００６８】
１  オーディオ信号記録装置、２  前面パネル部、２０１  開口部、２０２  平面部、
２０３  貫通孔、４  表示窓部、４０１  両面粘着テープ、
５  筐体、６  表示部、６０  表示部、
６０１  基板、６０２  孔、６０３  凹部、６０４  円盤部、
７  第１の円筒部、７０１  孔、７０２  切欠き、７０３  凹部、
７０４  左側面、７０５  右側面、
８  第２の円筒部、８０１  貫通孔、８０２  凸部、
８０３  左側面、８０４  右側面、
９  雄ネジ、１００  オーディオ信号記録装置、２００  前面パネル部、２０  剥離部材、
７００  円筒部、７１０  孔
【図１】
2007019446.tif 000003
【図２】
2007019446.tif 000004
【図３】
2007019446.tif 000005
【図４】
2007019446.tif 000006
【図５】
2007019446.tif 000007
【図６】
2007019446.tif 000008
【図７】
2007019446.tif 000009
【図８】
2007019446.tif 000010
【図９】
2007019446.tif 000011
【図１０】
2007019446.tif 000012
【図１１】
2007019446.tif 000013
【図１２】
2007019446.tif 000014
【図１３】
2007019446.tif 000015
【図１４】
2007019446.tif 000016